(57)【要約】【課題】小型で経済的な多層膜フィルタの回転を利用した波長可変光フィルタを用いたＯＮＵを提供する。【解決手段】本発明の一実施形態によれば、ＯＮＵは、多層膜フィルタを有する波長可変フィルタ（５３４）と、多層膜フィルタを透過した信号光を光電変換する光受信器（５３６）と、光受信器の出力により未使用の受信波長を検出し使用する受信波長として選択して、光送信器（５３８）の送信波長を選択した波長に設定する波長制御回路（５４０）と、とを備え、波長可変フィルタは、着脱可能な波長設定装置（５００）の多層膜フィルタを回転させる駆動回路（５１２）との接合部を備える。【選択図】図５
2010141611.tif 000002
【特許請求の範囲】
【請求項１】
波長多重された信号光を送受信する光送受信装置であって、
回転により透過波長を選択可能な多層膜フィルタを有する透過波長選択手段と、
前記多層膜フィルタを透過した信号光を光電変換する光受信手段と、
前記光受信手段を通して未使用の受信波長を検出する検出手段と、
前記検出手段により検出された前記未使用の受信波長を使用する受信波長として選択する受信波長選択手段と、
送信波長を可変可能な光送信手段と、
前記光送信手段の送信波長を選択された前記使用する受信波長に対応する送信波長に設定する波長制御手段と
を備え、
前記透過波長選択手段は、着脱可能な波長設定装置が備えた駆動回路であって前記多層膜フィルタを回転させる駆動回路との接合部を備えたことを特徴とする光送受信装置。
【請求項２】
波長多重された信号光を送受信する光送受信装置であって、
回転により透過波長を選択可能な多層膜フィルタを有する透過波長選択手段と、
前記多層膜フィルタを透過した信号光を光電変換する光受信手段と、
前記光受信手段を通して未使用の受信波長を検出する検出手段と、
前記検出手段により検出された前記未使用の受信波長を使用する受信波長として選択する受信波長選択手段と、
送信波長を可変可能な光送信手段と、
前記光送信手段の送信波長を選択された前記使用する受信波長に対応する送信波長に設定する波長制御手段と
を備え、
前記透過波長選択手段は、着脱可能な波長設定装置が備える駆動回路であって前記多層膜フィルタを回転させる駆動回路との接合部を備え、
前記多層膜フィルタの回転角は、前記光受信手段において受光した前記波長設定装置が備えた波長校正済み光源から入射した光パワーが最大となるように、前記駆動回路によって調整され、
前記検出手段は前記多層膜フィルタの回転角が調整された後に、前記光受信手段を通して未使用の受信波長を検出することを特徴とする光送受信装置。
【請求項３】
波長多重された信号光を送受信する光送受信装置であって、
回転により透過波長を選択可能な多層膜フィルタを有する透過波長選択手段と、
前記多層膜フィルタを透過した信号光を光電変換する光受信手段と、
送信波長を可変可能な光送信手段と
を備え、
前記透過波長選択手段は、波長校正済み光源、前記光受信手段を通して未使用の受信波長を検出する検出手段、前記検出手段により検出された前記未使用の受信波長を使用する受信波長として選択し、前記光送信手段の送信波長を選択した前記使用する受信波長に対応する送信波長に設定する波長制御手段を備えた着脱可能な波長設定装置が備える駆動回路であって前記多層膜フィルタを回転させる駆動回路との接合部を備え、
前記多層膜フィルタの回転角は、前記光受信手段において受光した前記波長校正済み光源から入射した光パワーが最大となるように、前記駆動回路によって調整され、
前記検出手段は前記多層膜フィルタの回転角が調整された後に、前記光受信手段を通して未使用の受信波長を検出することを特徴とする光送受信装置。
【請求項４】
請求項１乃至３のいずれかに記載の光送受信装置であって、
前記受信波長選択手段は、前記透過波長選択手段を掃引して前記検出手段においてＩＴＵグリッドの未使用の受信波長を検出した後に、当該検出されたＩＴＵグリッドの未使用の受信波長を前記使用する受信波長として選択することを特徴とする光送受信装置。
【請求項５】
請求項１乃至４のいずれかに記載の複数の光送受信装置と、
前記複数の光送受信装置がパワースプリッタを介して接続された光終端装置と
を備えたことを特徴とするネットワーク。
【請求項６】
上りおよび下りの波長がそれぞれ可変な複数の光送受信装置と、前記複数の光送受信装置がパワースプリッタを介して接続された光終端装置とを備えたネットワークにおける光送受信装置の波長設定方法であって、
（ａ）多層膜フィルタに接合した着脱可能な波長設定装置が備えた駆動回路により当該多層膜フィルタを回転させて透過波長を選択するステップと、
（ｂ）選択された波長を有する前記光終端装置からの下り波長の有無を検出することによって未使用の下り波長を検出するステップと、
（ｃ）前記検出された下り波長の１つを選択するステップと、
（ｄ）前記駆動回路により前記多層膜フィルタを回転させて透過波長を前記選択した下り波長に調整するステップと、
（ｅ）前記選択された下り波長に対応する上り波長を選択するステップと、
（ｆ）前記選択された上り波長で信号光を送信するステップと、
（ｇ）前記送信された信号光に対する応答を前記選択された下り波長で検出するステップと、
（ｈ）前記応答が検出された場合、前記選択された下り波長と前記選択された上り波長とを用いて前記光終端装置と通信を開始するステップと
を備えることを特徴とする波長設定方法。
【請求項７】
上りおよび下りの波長がそれぞれ可変な複数の光送受信装置と、前記複数の光送受信装置がパワースプリッタを介して接続された光終端装置とを備えたネットワークにおける光送受信装置の波長設定方法であって、
（ａ）着脱可能な波長設定装置から校正済み波長を入射するステップと、
（ｂ）多層膜フィルタに接合した前記波長設定装置が備えた駆動回路により当該多層膜フィルタを回転させて透過する前記校正済み波長のパワーが最大となるように回転角を制御するステップと、
（ｃ）前記波長設定装置を取り外した後に、前記光終端装置からの下り波長を検出して、前記校正済み波長が未使用波長であるか否かを検出するステップと、
（ｄ）前記校正済み波長が未使用波長である場合に、当該校正済み波長を下り波長とし、当該下り波長に対応する波長を上り波長として設定するステップと
を備えることを特徴とする波長設定方法。
【請求項８】
上りおよび下りの波長がそれぞれ可変な複数の光送受信装置と、前記複数の光送受信装置がパワースプリッタを介して接続された光終端装置とを備えたネットワークにおける光送受信装置の波長設定方法であって、
（ａ）着脱可能な波長設定装置から校正済み波長を入射するステップと、
（ｂ）多層膜フィルタに接合した前記波長設定装置が備えた駆動回路により当該多層膜フィルタを回転させて透過する前記校正済み波長のパワーが最大となるように回転角を制御し、前記多層膜フィルタの透過中心波長と前記回転角との関係をメモリへ格納するステップと
を備え、前記下りの波長の各々について、前記（ａ）および（ｂ）を繰り返した後に、
（ｃ）前記光送受信装置をネットワークに接続して、前記光終端装置からの下り波長を検出して、未使用の下り波長を決定するステップと、
（ｄ）決定した前記未使用の下り波長を下り波長とし、当該下り波長に対応する波長を上り波長として設定するステップと
を備えることを特徴とする波長設定方法。
【請求項９】
上りおよび下りの波長がそれぞれ可変な複数の光送受信装置と、前記複数の光送受信装置がパワースプリッタを介して接続された光終端装置とを備えたネットワークにおける光送受信装置の波長設定方法であって、
（ａ）ネットワークに接続された前記光送受信装置に接続された着脱可能な波長設定装置が、当該光送受信装置の多層膜フィルタに接合した当該波長設定装置が備えた駆動回路により当該多層膜フィルタを回転させて前記光終端装置からの下り波長を検出して、未使用の下り波長を決定するステップと、
（ｂ）前記波長設定装置から前記未使用の下り波長に対応する校正済み波長を入射するステップと、
（ｃ）前記波長設定装置が前記多層膜フィルタを回転させて透過する前記校正済み波長のパワーが最大となるように回転角を制御するステップと、
（ｄ）決定した前記未使用の下り波長を下り波長とし、当該下り波長に対応する波長を上り波長として設定するステップと
を備えることを特徴とする波長設定方法。
【発明の詳細な説明】
【技術分野】
【０００１】
本発明は、波長多重光通信における光送受信装置及びそれを用いたネットワークに関する。
【背景技術】
【０００２】
従来、波長多重技術を用いたスター型ネットワークが知られている（例えば、特許文献１参照）。
【０００３】
図１は、特許文献１に示されている光送受信装置（ＯＮＵ：Ｏｐｔｉｃａｌ  Ｎｅｔｗｏｒｋ  Ｕｎｉｔ）を含むスター型波長多重ネットワークの基本構成図である。ネットワーク１００は、波長多重された信号光を送受信する１つの光終端装置（ＯＬＴ：Ｏｐｔｉｃａｌ  Ｌｉｎｅ  Ｔｅｒｍｉｎａｌ）１１０と、信号光が伝搬する光ファイバ１０と、光信号を１：Ｎで合流または分岐するパワースプリッタ３０と、光信号をそれぞれ送受信するＮ個のＯＮＵ１３０−１〜Ｎとを備える。
【０００４】
ＯＬＴ１１０は、それぞれが割り振られた波長で信号光を送受信するＮ個のＯＳＵ（Ｏｐｔｉｃａｌ  Ｓｕｂｓｃｒｉｂｅｒ  Ｕｎｉｔ）１２０−１〜Ｎと、ＯＳＵの送受信に用いる信号光の波長を制御する波長制御回路１１４と、ＯＳＵからの光信号を合波し、ＯＮＵの光信号を分波する波長合分波器１１２とを備る。ＯＳＵ１２０−１〜Ｎには、それぞれ異なる波長が波長制御回路１１４によって割り振られる。図１に示すスター型波長多重ネットワークは、波長制御回路１１４が各ＯＳＵに波長を固定的または動的に割り振るように構成する。あるいは、送受信波長があらかじめ固定されているＯＳＵを用い、波長制御回路が各ＯＳＵの波長を安定化ようにする構成する。互いに異なる波長が割り振られたＯＳＵからの光信号は、波長合分波器１１２により、波長多重され、光ファイバ１０に送出される。
【０００５】
また、図１に示すスター型波長多重ネットワークでは、ＯＬＴと同様に各ＯＮＵ１３０が波長制御回路１４０を有しており、使用する送受信波長を選択・決定する。
【０００６】
図２は、図１に示すスター型波長多重ネットワークにおいて使用する波長配置の例を示す図である。図２において、すべての波長はＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）グリッド上にあり、ＯＮＵでの送信波長はλｕ１〜λｕＮ、受信波長はλｄ１〜λｄＮが割り当てられるものとして例示している。
【０００７】
図３は、ＯＮＵがＯＬＴ−ＯＮＵ間で送受信する光信号の波長対応表の一例を示す図である。図３に示す波長対応表は、ＯＮＵが備えるメモリに格納される。図１に示すスター型波長多重ネットワークにおいて、ＯＮＵは、下り波長（λｄ１〜λｄＮ）から未使用の受信波長を検出し、メモリに格納された送信波長と受信波長のペアのテーブルから、送受信波長を選択し、通信を開始する。なお、図３において、下り波長λｄ１がＯＮＵ１の受信波長として、上り波長λｄ１がＯＮＵ１の送信波長として使用されていることを示している。
【０００８】
図４は、ＯＮＵの構成を示す図である。ＯＮＵ１３０は、波長可変光送信器１３８と、光受信器１３６と、送受信波長を合分波する波長合分波器１３２と、光受信器と波長合分波器との間に配置される波長可変光フィルタ１３４と、波長可変光送信器と波長可変光フィルタの波長を設定する波長制御回路１４０と、図３に示す波長対応表を格納したメモリ１４２とを備える。
【０００９】
光受信器１３６は、波長可変光フィルタ１３４を透過した光信号を光／電気変換して電流値によって受信波長の有無を検出し、未使用の受信波長からメモリ１４２に格納された波長対応表から、送受信波長を決定する。
【００１０】
図１に示すスター型波長多重ネットワークでは、各ＯＮＵは、波長制御回路１４０の制御下、次の（１）〜（５）により、他のＯＮＵとＯＬＴとの間の通信に影響を与えず、送信波長を決定する。
【００１１】
（１）ＯＮＵの波長可変光フィルタ１３４を掃引しつつ、光受信器１３６からの受信光パワーをモニタすることにより、下り波長（λｄ１〜λｄＮ）から未使用の受信信号波長（λｄｋ）を検出する。
【００１２】
（２）波長可変フィルタ１３４を波長λｄｋで固定し、メモリ１４２に書き込まれたＯＬＴ−ＯＮＵ間の波長対応表より、対応した上り信号波長（λｕｋ）に波長可変光送信器１３８の波長を設定して送出する。
【００１３】
（３）ＯＬＴでは、波長λｕｋを受信すると、ＡＣＫ信号を波長λｄｋで送出する。
【００１４】
（４）ＯＮＵでＡＣＫ信号（波長λｄｋ）を受信して、送受信波長の設定を完了する。
【００１５】
（５）ＯＮＵでＡＣＫ信号（波長λｄｋ）が一定時間中に受信できない場合、波長可変光送信器１３８は、信号波長（λｕｋ）をランダム時間後に再送する、あるいは、別の未使用の受信波長と送信波長のペアをランダムに選択して送出する。
【００１６】
【特許文献１】国際公開第２００７／０８６５１４号パンフレット
【発明の開示】
【発明が解決しようとする課題】
【００１７】
図１に示すＯＮＵの波長可変光フィルタを多層膜フィルタの回転を利用した波長可変光フィルタとして構成する場合には、当該多層膜フィルタを回転させる駆動回路部が大規模化し高価な部品が必要となる。
【００１８】
本発明は、このような問題に鑑みてなされたもので、その目的とするところは、小型で経済的な多層膜フィルタの回転を利用した波長可変光フィルタを用いたＯＮＵ及びそれを用いたネットワークを提供することにある。
【課題を解決するための手段】
【００１９】
本発明は、このような目的を達成するために、請求項１に記載の発明は、波長多重された信号光を送受信する光送受信装置であって、回転により透過波長を選択可能な多層膜フィルタを有する透過波長選択手段と、前記多層膜フィルタを透過した信号光を光電変換する光受信手段と、前記光受信手段を通して未使用の受信波長を検出する検出手段と、前記検出手段により検出された前記未使用の受信波長を使用する受信波長として選択する受信波長選択手段と、送信波長を可変可能な光送信手段と、前記光送信手段の送信波長を選択された前記使用する受信波長に対応する送信波長に設定する波長制御手段とを備え、前記透過波長選択手段は、着脱可能な波長設定装置が備えた駆動回路であって前記多層膜フィルタを回転させる駆動回路との接合部を備えたことを特徴とする。
【００２０】
請求項２に記載の発明は、波長多重された信号光を送受信する光送受信装置であって、回転により透過波長を選択可能な多層膜フィルタを有する透過波長選択手段と、前記多層膜フィルタを透過した信号光を光電変換する光受信手段と、前記光受信手段を通して未使用の受信波長を検出する検出手段と、前記検出手段により検出された前記未使用の受信波長を使用する受信波長として選択する受信波長選択手段と、送信波長を可変可能な光送信手段と、前記光送信手段の送信波長を選択された前記使用する受信波長に対応する送信波長に設定する波長制御手段とを備え、前記透過波長選択手段は、着脱可能な波長設定装置が備える駆動回路であって前記多層膜フィルタを回転させる駆動回路との接合部を備え、前記多層膜フィルタの回転角は、前記光受信手段において受光した前記波長設定装置が備えた波長校正済み光源から入射した光パワーが最大となるように、前記駆動回路によって調整され、前記検出手段は前記多層膜フィルタの回転角が調整された後に、前記光受信手段を通して未使用の受信波長を検出することを特徴とする。
【００２１】
請求項３に記載の発明は、波長多重された信号光を送受信する光送受信装置であって、回転により透過波長を選択可能な多層膜フィルタを有する透過波長選択手段と、前記多層膜フィルタを透過した信号光を光電変換する光受信手段と、送信波長を可変可能な光送信手段とを備え、前記透過波長選択手段は、波長校正済み光源、前記光受信手段を通して未使用の受信波長を検出する検出手段、前記検出手段により検出された前記未使用の受信波長を使用する受信波長として選択し、前記光送信手段の送信波長を選択した前記使用する受信波長に対応する送信波長に設定する波長制御手段を備えた着脱可能な波長設定装置が備える駆動回路であって前記多層膜フィルタを回転させる駆動回路との接合部を備え、前記多層膜フィルタの回転角は、前記光受信手段において受光した前記波長校正済み光源から入射した光パワーが最大となるように、前記駆動回路によって調整され、前記検出手段は前記多層膜フィルタの回転角が調整された後に、前記光受信手段を通して未使用の受信波長を検出することを特徴とする。
【００２２】
本願発明は、上記光送受信装置を備えたネットワークとしても実施することができる。あるいは、本願発明は、上記ネットワークにおける光送受信装置の波長設定方法としても実施することができる。
【発明の効果】
【００２３】
本発明によれば、パワースプッリッタ網を介した波長多重スター型ネットワークにおいて、小型で経済的な、波長可変型の光送受信装置及びスター型波長多重光ネットワークを提供することができる。
【発明を実施するための最良の形態】
【００２４】
以下、図面を参照しながら本発明の実施形態について詳細に説明する。  
本発明に係る光送受信装置（ＯＮＵ）は、波長可変光フィルタとしての多層膜フィルタ備える。多層膜フィルタは、ＯＮＵと着脱自在な波長設定装置に備えられた駆動回路部により回転するように構成されている。また、波長可変光フィルタの透過中心波長は回転角に依存し非常に高い制御精度が要求されるが、波長設定装置をＯＮＵから着脱できるようにした場合には、波長可変光フィルタの透過中心波長と回転角との関係が再現しない可能性が高いため、波長設定装置装着時に透過中心波長と回転角との関係を再測定するように構成されている。本発明に係るＯＮＵは、図１に示すネットワークのＯＮＵ１３０の代替として用いることができる。
【００２５】
（実施例１）
図５は、本発明の一実施例に係るＯＮＵ５３０及び波長設定装置５００の構成を示す図である。  
図５に示すＯＮＵ５３０は、波長可変光送信器５３８と、光受信器５３６と、送受信波長を合分波する波長合分波器５３２と、光受信器５３６と波長合分波器５３２との間に配置される多層膜フィルタ５３４と、波長可変光送信器５３８の波長を設定する波長制御回路５４０と、図３に示す波長対応表を格納したメモリ５４２とを備える。
【００２６】
多層膜フィルタ５３４は、駆動回路５１２との接合部（図示しない）を備える。例えば、接合部にウォーム（ｗｏｒｍ）ギヤを用い、多層膜フィルタをウォームホィールに載置するように構成してもよい。これにより、多層膜フィルタを回転・保持可能にすることができる。
【００２７】
光受信器５３６は、多層膜フィルタ５３４を透過した波長の光を電気信号に変換して出力する。光受信器５３６から出力された電気信号はユーザ側インタフェース及び波長制御回路５４０へ供給される。
【００２８】
波長設定装置５００は、波長制御回路５１０と、多層膜フィルタ５３４の接合部と接合し回転させる駆動回路５１２とを備え、ＯＮＵ５３０と着脱可能に構成されている。例えば、駆動回路５１２を、多層膜フィルタ５３４の接合部のウォームに対応するギヤを備えたモーターで構成することができる。波長設定装置５００は、ＯＮＵ５３０に装着した状態で、駆動回路５１２の接合部が多層膜フィルタ５３４の接合部に接合するように構成することができる。
【００２９】
駆動回路５１２は、波長制御回路５１０の制御下で多層膜フィルタ５３４を回転させる。これにより波長合分波器５３２を介して多層膜フィルタ５３４へ入射されるＯＬＴからの入射光の多層膜フィルタ５３４への入射角が制御され、多層膜フィルタ５３４が波長可変光フィルタとして機能する。
【００３０】
以下にＯＮＵ５３０を図１に示すネットワークのＯＮＵ１３０の代替として用いた場合の波長設定方法を説明する。
【００３１】
図６は、本実施例の波長設定方法のフローを示す図である。本実施例の波長設定方法は、波長設定装置５００をＯＮＵ５３０に装着することで開始する（Ｓ１００）。
【００３２】
次いで、波長制御回路５１０が駆動回路５１２を制御し多層膜フィルタ５３４を回転させ掃引するとともに、波長制御回路５４０がメモリ５４２に回転角と透過中心波長の関係を記録する（Ｓ１０２）。例えば、ＯＬＴから未使用の下り波長を送出しておき、使用／未使用状態や波長情報などのデータを重畳することにより、ＯＮＵで未使用の下り波長を検出できるようにしてもよい。また、波長制御回路５４０は、波長制御回路５１０から多層膜フィルタ５３４の回転角（または回転量）の情報を受信するようにしてもよい。これにより、透過中心波長と回転角との関係をメモリ５４２に記録してもよい。
【００３３】
次いで、波長制御回路５４０が、未使用の下り波長の中から１つの下り波長（例えば、λｄｋ）を選択し、波長制御回路５１０に対して多層膜フィルタ５３４の回転量をその波長に設定するように指示する（Ｓ１０４）。
【００３４】
波長制御回路５４０からの指示に応答して波長制御回路５１０は、駆動回路５１２を制御して多層膜フィルタ５３４を回転させた後に多層膜フィルタ５３４を回転後の状態に保持させる（Ｓ１０６）。
【００３５】
次いで、波長制御回路５４０は波長可変光送信器５３８の送信波長を選択した下り波長（λｄｋ）に対応する上り波長（λｕｋ）に設定し、波長可変光送信器５３８からＯＬＴ１１０に対して波長（λｕｋ）の光信号を送出する（Ｓ１０８）。
【００３６】
ＯＮＵ５３０は、波長可変光フィルタ５３４で設定された下り波長（λｄｋ）においてＯＬＴ１１０からのＡＣＫ信号の有無を確認する（Ｓ１１０）。
【００３７】
ある一定時間内にＡＣＫ信号が確認されない場合は、Ｓ１０８へ戻り、ＯＬＴ１１０に対して波長（λｕｋ）の光信号を送出する。あるいは、Ｓ１０２またはＳ１０４へ戻り、再度未使用の下り波長を選択し、対応する上り波長の光信号を送出する（Ｓ１０６〜Ｓ１０８）。この場合、前回と同じ未使用の波長ペア（λｄｋおよびλｕｋ）を含めて、再度選択し直してもよいし、前回と異なる未使用の波長ペアの中から選択してもよい。また、ランダムな時間の経過後に、この再送プロセスを繰り返すことによって、他のＯＮＵとの間で同じ波長を選択し、これによりＯＬＴで競合が生じる確率を低減することができる。
【００３８】
波長可変光フィルタ５３４に設定された下り波長（例えば、λｄｋ）において、ＯＬＴ１１０からのＡＣＫ信号を受信すると、ＯＮＵ５３０は、その下りおよび上り波長のペア（λｄｋおよびλｕｋ）を送受信に使用する波長としてメモリ５４２に設定し、通信を開始し（Ｓ１１２）、波長設定装置５００をＯＮＵ５３０に取り外すことで波長選択プロセスを終了する（Ｓ１１４）。
【００３９】
本実施例のＯＮＵは、多層膜フィルタを使用し、その入射光角度を外部から制御することにより光フィルタの波長可変化を実現し、かつ多層膜フィルタを回転させる機械的な駆動部分をＯＮＵとは別個の波長設定装置に設けることで、駆動部分を取りつけたときのみ、波長可変化することが可能となり、波長設定が完了後、駆動部分を取り外すことができる。これにより、ＯＮＵ部分は、異なる波長に対しても単一品種でよく、また小型・経済化が実現できる。この構成により、複数のＯＮＵに対して、駆動回路からなる波長設定装置はひとつあれば順次波長設定を行うことができるため、共有化による経済化を見込むことができる。
【００４０】
（実施例２）
図７は、本発明の一実施例に係るＯＮＵ６３０及び波長設定装置６００の構成を示す図である。ＯＮＴ６３０は、波長可変光送信器６３８の波長はＯＮＵ内の波長制御回路６４０で、波長可変光フィルタ６３４の波長は波長設定装置６００で決定する構成である。
【００４１】
図７に示すＯＮＵ６３０は、波長可変光送信器６３８と、光受信器６３６と、送受信波長を合分波する波長合分波器６３２と、光受信器６３６と波長合分波器６３２との間に配置される多層膜フィルタ６３４と、波長可変光送信器６３８の波長を設定する波長制御回路６４０と、メモリ６４２と、波長設定装置６００からの光信号及びＯＬＴからの入力波長を波長合分波器６３２へ結合する１×２光カプラとを備える。
【００４２】
多層膜フィルタ６３４は、駆動回路６１２との接合部（図示しない）を備える。例えば、接合部にウォーム（ｗｏｒｍ）ギヤを用い、多層膜フィルタをウォームホィールに載置するように構成してもよい。これにより、多層膜フィルタを回転・保持可能にすることができる。
【００４３】
光受信器６３６は、多層膜フィルタ６３４を透過した波長の光を電気信号に変換して出力する。光受信器６３６から出力された電気信号はユーザ側インタフェース、波長制御回路６４０及び波長設定装置６００へ供給される。
【００４４】
波長設定装置６００は、多層膜フィルタ６３４の接合部と接合し回転させる駆動回路６１２と、波長校正済み光源６１４と、受信波長（透過中心波長）と回転角との対応関係を格納するメモリ６１６と、駆動回路６１２及び波長校正済み光源６１４を制御する波長制御回路６１０とを備え、ＯＮＵ６３０と着脱可能に構成されている。例えば、駆動回路６１２を、多層膜フィルタ６３４の接合部のウォームに対応するギヤを備えたモーターで構成することができる。波長設定装置６００は、ＯＮＵ６３０に装着した状態で、駆動回路６１２の接合部が多層膜フィルタ６３４の接合部に接合するように、光受信器６３６からの電気信号が波長制御回路６１０へ供給されるように、さらに波長校正済み光源６１４からの波長が１×２光カプラ６４４を介して多層膜フィルタ６３４へ結合されるように構成することができる。
【００４５】
駆動回路６１２は、波長制御回路６１０の制御下で多層膜フィルタ６３４を回転させる。これにより波長合分波器６３２を介して多層膜フィルタ６３４へ入射されるＯＬＴまたは波長校正済み光源６１４からの入射光の多層膜フィルタ６３４への入射角が制御され、多層膜フィルタ６３４が波長可変光フィルタとして機能する。
【００４６】
波長制御回路６１０は、波長校正済み光源６１４を制御するとともに、光受信器６３６からの電気信号が最大となるように駆動回路６１２の制御を介して多層膜フィルタ６３４の回転角（波長可変光フィルタの透過波長）を制御する。すなわち、波長制御回路６１０は、波長可変光フィルタの波長を変化させながら、波長校正済み光源の光出力パワーをＯＮＵ６３０内の光受信器６３６を介してモニタし、パワーが最大となるように、多層膜フィルタ６３４の回転角を制御する。さらに、波長制御回路６１０は、受信波長（透過中心波長）と回転角との対応関係をメモリ６１６へ格納することもできる。
【００４７】
波長校正済み光源６１４の波長が固定の場合には、波長の異なる（λｄ１〜λｄＮ）Ｎ種類の波長設定装置を用意し、設定したい波長に合わせて、波長設定装置をＯＮＵ６３０に取り付けるようにしてもよい。
【００４８】
また、波長校正済み光源６１４として、波長可変光源を用いれば、パワーモニタにより任意の波長に設定が可能である。１×２光カプラ６４４を用いることにより、ＯＮＵ６３０をネットワークに接続し、ＯＬＴとの通信状況を監視しつつ波長設定を行うことができる。１×２光カプラ６４４のかわりに１×２光スイッチを用いてもよい。１×２光スイッチを用いる場合には、波長設定時には、モニタポートへ切り替え、波長設定後にＯＬＴ側へ切り替えればよい。ただし、この場合には、ＯＬＴとの通信状況を監視しながら同時に波長設定をすることはできないため、いったん波長を決定してからスイッチを切り替え、ＯＬＴとの通信状態を確認することになる。もちろん、１×２光カプラ、１×２光スイッチをなくし、波長設定時には一度ＯＮＵをネットワークから切り離して波長設定を行い、設定後、ネットワークに接続して確認してもよい。
【００４９】
以下に図９、１０および１１を参照して、ＯＮＵ６３０を図１に示すネットワークのＯＮＵ１３０の代替として用いた場合の波長設定方法を説明する。図９、１０および１１は各々、本実施例の波長設定方法のフローを示す図である。
【００５０】
図９は、ＯＮＵを下り波長（λｄ１〜λｄＮ）の内のある波長λｄｋに設定する場合の例を示す。
【００５１】
図９を参照すると、本実施例の波長設定方法は、波長設定装置６００をＯＮＵ６３０に装着することで開始する（Ｓ２００）。
【００５２】
次いで、波長制御回路６１０が波長校正済み光源６１４の波長をλｄｋに設定してＯＮにする（Ｓ２０１）とともに、波長校正済み光源６１４の光出力パワー（波長λｄｋ）をＯＮＵ６３０内の光受信器６３６を介してモニタし（Ｓ２０２）、パワーが最大となるように、多層膜フィルタ６３４の回転角を制御する（Ｓ２０４）。
【００５３】
次いで、波長制御回路６１０は、波長校正済み光源６１４をＯＦＦに設定して波長設定装置６００を取り外し（Ｓ２０６）、ＯＮＵ６３０をネットワークへ接続してＯＬＴとの接続確認を行う（Ｓ２０８）。
【００５４】
ＯＬＴとの接続確認（Ｓ２０８）では、波長制御回路６４０が光受信器６３６から供給される電気信号に基づいて、波長λｄｋが未使用の下り波長であるか否かを検出する。
【００５５】
次いで、波長制御回路６４０は、メモリ６４２に格納された波長対応表を参照して、波長可変光送信器６３８の送信波長を選択した下り波長（λｄｋ）に対応する上り波長（λｕｋ）に設定し、波長可変光送信器６３８からＯＬＴ１１０に対して波長（λｕｋ）の光信号を送出する。
【００５６】
ＯＮＵ６３０は、多層膜フィルタ６３４に設定された下り波長（λｄｋ）においてＯＬＴ１１０からのＡＣＫ信号の有無を確認する。
【００５７】
あるいは、ステップＳ２０６よりも前に、波長制御回路６１０が波長制御回路６４０へ、多層膜フィルタ６３４に設定された下り波長（λｄｋ）の情報を通知するように構成してもよい。これにより、波長制御回路６４０は、対応する上り波長（λｕｋ）を波長可変光送信器６３８に設定し、波長（λｕｋ）の光信号を送出することができる。
【００５８】
ある一定時間内にＡＣＫ信号が確認されない場合は、ランダムな時間の経過後に、ＯＬＴ１１０に対して波長（λｕｋ）の光信号を送出する。
【００５９】
波長校正済み光源６１４として波長可変光源を用いた場合、ステップＳ２００〜Ｓ２１０を繰り返すことにより、波長（例えば、λｄ１〜λｄＮ）のすべてまたは一部について駆動回路６１２を制御し多層膜フィルタ６３４を回転させ掃引するとともに未使用の下り波長を検出することができる。波長校正済み光源６１４の波長が固定の場合には、異なる波長の波長設定装置を用いて、ステップＳ２００〜Ｓ２１０を繰り返すことにより、波長（例えば、λｄ１〜λｄＮ）のすべてまたは一部について駆動回路６１２を制御し多層膜フィルタ６３４を回転させ掃引するとともに未使用の下り波長を検出することができる。
【００６０】
図１０は、ＯＮＵを下り波長（λｄ１〜λｄＮ）の内のある波長λｄｋに設定する場合の別の例を示す。以下の説明において、波長設定装置６００の波長校正済み光源６１４は波長可変光源で構成されているものとする。
【００６１】
図１０を参照すると、本実施例の波長設定方法は、波長設定装置６００をネットワークに未接続のＯＮＵ６３０に装着することで開始する（Ｓ３００）。
【００６２】
次いで、波長制御回路６１０が波長校正済み光源６１４の波長を初期値（λｄ１）に設定し（Ｓ３０２）し、出力をＯＮにする（Ｓ３０４）。
【００６３】
次いで、波長制御回路６１０は、多層膜フィルタ６３４を回転させ、波長校正済み光源６１４の光出力パワー（波長λｄ１）をＯＮＵ６３０内の光受信器６３６を介してモニタする（Ｓ３０６）。さらに、波長制御回路６１０は、光受信器６３６からの出力パワー（波長λｄ１）が最大となるように、多層膜フィルタ６３４の回転角を制御し、透過中心波長（波長可変光源の波長）と回転角との関係をメモリ６１６へ格納する（Ｓ３０８）。
【００６４】
次いで、波長制御回路６１０は、波長校正済み光源６１４の波長が最後の波長（λｄＮ）かどうかを判定し（Ｓ３１０）、最後の波長ではない場合には、波長校正済み光源６１４の波長を次の波長へ変更して（Ｓ３１２）、ステップＳ３０４へ戻る。
【００６５】
波長校正済み光源６１４の波長が最後の波長（λｄＮ）の場合、ＯＮＵ６３０をネットワークへ接続し、ＯＬＴとＯＮＵとの間の通信波長を設定する（Ｓ３１４）。通信波長を設定が完了した後に、波長設定装置６００をＯＮＵ６３０から取り外して設定を終了する（Ｓ３１６）。
【００６６】
ＯＬＴとＯＮＵとの間の通信波長の設定（Ｓ３１４）では、波長制御回路６１０は、メモリ６１６内の透過中心波長と回転角との関係を参照してＯＮＵの波長可変光フィルタ６３４を掃引しつつ、光受信器６３６からの受信光パワーをモニタすることにより、下り波長（λｄ１〜λｄＮ）から未使用の下り波長を検出する。
【００６７】
さらに、波長制御回路６１０は、未使用の下り波長から受信信号波長（λｄｋ）を選択して波長可変フィルタ６３４を波長λｄｋに固定するとともに、波長制御回路６４０へ受信信号波長（λｄｋ）を通知する。波長制御回路６４０は、メモリ６４２に書き込まれたＯＬＴ−ＯＮＵ間の波長対応表より、対応した上り信号波長（λｕｋ）に波長可変光送信器６３８の波長を設定して送出する。
【００６８】
ＯＬＴは、波長λｕｋを受信すると、ＡＣＫ信号を波長λｄｋで送出する。ＯＮＵでＡＣＫ信号（波長λｄｋ）を受信して、送受信波長の設定を完了する。ＯＮＵでＡＣＫ信号（波長λｄｋ）が一定時間中に受信できない場合、波長可変光送信器６３８は、信号波長（λｕｋ）をランダム時間後に再送する、あるいは、別の未使用の受信波長と送信波長のペアをランダムに選択して送出する。
【００６９】
図１１は、ＯＮＵを下り波長（λｄ１〜λｄＮ）の内のある波長λｄｋに設定する場合の別の例を示す。以下の説明において、波長設定装置６００の波長校正済み光源６１４は波長可変光源で構成されているものとする。また、下り光信号には波長情報が含まれているものとする。
【００７０】
図１１を参照すると、本実施例の波長設定方法は、ネットワークに接続されたＯＮＵ６３０に波長設定装置６００を装着することで開始する（Ｓ４００）。
【００７１】
次いで、波長制御回路６１０は、多層膜フィルタ６３４を回転させＯＮＵ６３０内の光受信器６３６を介してモニタすることで、下り波長の内の使用中の波長を検出する（Ｓ４０２）。
【００７２】
次いで、波長制御回路６１０は、波長校正済み光源６１４の波長を未使用の下り波長（λｄｋ）に設定して（Ｓ４０４）出力をＯＮにする（Ｓ４０６）。また、波長制御回路６１０は、多層膜フィルタ６３４を回転させＯＮＵ６３０内の光受信器６３６を介して波長校正済み光源６１４からの光のパワーをモニタする（Ｓ４０８）。さらに波長制御回路６１０は、波長校正済み光源６１４からの光のパワーが最大となるように、多層膜フィルタ６３４の回転角を制御して透過中心波長（波長可変光源の波長）と回転角との関係をメモリ６１６へ格納し（Ｓ４１０）、波長校正済み光源６１４の出力をＯＦＦに設定する（Ｓ４１２）。未使用の下り波長が複数ある場合には、ステップＳ４０４〜４１２を繰り返す。
【００７３】
次いで、ＯＬＴとＯＮＵとの間の通信波長を設定する（Ｓ４１４）。ＯＬＴとＯＮＵとの間の通信波長の設定（Ｓ４１４）は、図１０を参照して説明したステップＳ３１４と同様であるので、説明を省略する。
【００７４】
本実施例のＯＮＵは、多層膜フィルタを使用し、その入射光角度を外部から制御することにより光フィルタの波長可変化を実現し、かつ多層膜フィルタを回転させる機械的な駆動部分をＯＮＵとは別個の波長設定装置に設けることで、駆動部分を取りつけたときのみ、波長可変化することが可能となり、波長設定が完了後、駆動部分を取り外すことができる。これにより、ＯＮＵ部分は、異なる波長に対しても単一品種でよく、また小型・経済化が実現できる。この構成により、複数のＯＮＵに対して、駆動回路からなる波長設定装置はひとつあれば順次波長設定を行うことができるため、共有化による経済化を見込むことができる。
【００７５】
（実施例３）
図８は、本発明の一実施例に係るＯＮＵ７３０及び波長設定装置７００の構成を示す図である。ＯＮＴ７３０は、波長可変光送信器７３８の波長はおよび波長可変光フィルタ７３４の波長は波長設定装置７００で決定する構成である。
【００７６】
図８に示すＯＮＵ７３０は、波長可変光送信器７３８と、光受信器７３６と、送受信波長を合分波する波長合分波器７３２と、光受信器７３６と波長合分波器７３２との間に配置される多層膜フィルタ７３４と、波長設定装置６００からの光信号及びＯＬＴからの入力波長を波長合分波器６３２へ結合する１×２光カプラとを備える。
【００７７】
多層膜フィルタ６３４は、駆動回路６１２との接合部（図示しない）を備える。例えば、接合部にウォーム（ｗｏｒｍ）ギヤを用い、多層膜フィルタをウォームホィールに載置するように構成してもよい。これにより、多層膜フィルタを回転・保持可能にすることができる。
【００７８】
光受信器７３６は、多層膜フィルタ７３４を透過した波長の光を電気信号に変換して出力する。光受信器７３６から出力された電気信号はユーザ側インタフェース及び波長設定装置７００へ供給される。
【００７９】
波長設定装置７００は、多層膜フィルタ７３４の接合部と接合し回転させる駆動回路７１２と、波長校正済み光源７１４と、受信波長（透過中心波長）と回転角との対応関係および受信波長と送信波長との対応表を格納したメモリ７１６と、駆動回路７１２、波長校正済み光源７１４及び波長可変光送信器７３８の波長を制御する波長制御回路７１０とを備え、ＯＮＵ７３０と着脱可能に構成されている。例えば、駆動回路７１２を、多層膜フィルタ７３４のウォームに対応するギヤを備えたモーターで構成することができる。波長設定装置７００は、ＯＮＵ７３０に装着した状態で、駆動回路７１２が多層膜フィルタ７３４の接合部に接合するように、光受信器７３６からの電気信号が波長制御回路７１０へ供給されるように、さらに波長校正済み光源７１４からの波長が１×２光カプラ７４４を介して多層膜フィルタ６３４へ結合されるように構成することができる。さらに、波長設定装置７００は、波長可変光送信器７３８からの波長をモニタするための光受信器７２０を備えることもできる。この場合、１×２光カプラ７４４と波長校正済み光源７１４との間に１×２光カプラ７１８を設け、光受信器７２０を光受信器７２０接続するように構成することができる。
【００８０】
駆動回路７１２は、波長制御回路７１０の制御下で多層膜フィルタ７３４を回転させる。これにより波長合分波器７３２を介して多層膜フィルタ７３４へ入射されるＯＬＴまたは波長校正済み光源７１４からの入射光の多層膜フィルタ７３４への入射角が制御され、多層膜フィルタ７３４が波長可変光フィルタとして機能する。
【００８１】
波長制御回路７１０は、波長校正済み光源７１４を制御するとともに、光受信器７３６からの電気信号が最大となるように駆動回路７１２の制御を介して多層膜フィルタ７３４の回転角（波長可変光フィルタの透過波長）を制御する。すなわち、波長制御回路７１０は、波長可変光フィルタの波長を変化させながら、波長校正済み光源の光出力パワーをＯＮＵ７３０内の光受信器７３６を介してモニタし、パワーが最大となるように、多層膜フィルタ７３４の回転角を制御する。
【００８２】
波長校正済み光源７１４の波長が固定の場合には、波長の異なる（λｄ１〜λｄＮ）Ｎ種類の波長設定装置を用意し、設定したい波長に合わせて、波長設定装置をＯＮＵ７３０に取り付けるようにしてもよい。
【００８３】
また、波長校正済み光源７１４として、波長可変光源を用いれば、パワーモニタにより任意の波長に設定が可能である。１×２光カプラ７４４を用いることにより、ＯＮＵ７３０をネットワークに接続し、ＯＬＴとの通信状況を監視しつつ波長設定を行うことができる。１×２光カプラ７４４のかわりに１×２光スイッチを用いてもよい。１×２光スイッチを用いる場合には、波長設定時には、モニタポートへ切り替え、波長設定後にＯＬＴ側へ切り替えればよい。ただし、この場合には、ＯＬＴとの通信状況を監視しながら同時に波長設定をすることはできないため、いったん波長を決定してからスイッチを切り替え、ＯＬＴとの通信状態を確認することになる。もちろん、１×２光カプラ、１×２光スイッチをなくし、波長設定時には一度ＯＮＵをネットワークから切り離して波長設定を行い、設定後、ネットワークに接続して確認してもよい。
【００８４】
以下に図９、１０および１１を参照して、ＯＮＵ７３０を図１に示すネットワークのＯＮＵ１３０の代替として用いた場合の波長選択方法を説明する。
【００８５】
図９を参照すると、本実施例の波長設定方法は、波長設定装置７００をＯＮＵ７３０に装着することで開始する（Ｓ２００）。
【００８６】
次いで、波長制御回路７１０が波長校正済み光源７１４の波長をλｄｋに設定してＯＮにする（Ｓ２０１）とともに、波長校正済み光源７１４の光出力パワー（波長λｄｋ）をＯＮＵ７３０内の光受信器７３６を介してモニタし（Ｓ２０２）、パワーが最大となるように、多層膜フィルタ７３４の回転角を制御する（Ｓ２０４）。
【００８７】
次いで、波長制御回路７１０は、波長校正済み光源７１４をＯＦＦに設定して波長設定装置７００を取り外し（Ｓ２０６）、ＯＮＵ６３０をネットワークへ接続してＯＬＴとの接続確認を行う（Ｓ２０８）。ただし、ステップＳ２０６よりも前に、波長制御回路７１０が、対応する上り波長（λｕｋ）を波長可変光送信器７３８に設定する。
【００８８】
次に、図１０を参照して、ＯＮＵを下り波長（λｄ１〜λｄＮ）の内のある波長λｄｋに設定する場合の別の例を説明する。以下の説明において、波長設定装置７００の波長校正済み光源７１４は波長可変光源で構成されているものとする。
【００８９】
図１０を参照すると、本実施例の波長設定方法は、波長設定装置７００をネットワークに未接続のＯＮＵ７３０に装着することで開始する（Ｓ３００）。
【００９０】
次いで、波長制御回路７１０が波長校正済み光源７１４の波長を初期値（λｄ１）に設定し（Ｓ３０２）し、出力をＯＮにする（Ｓ３０４）。
【００９１】
次いで、波長制御回路７１０は、多層膜フィルタ７３４を回転させ、波長校正済み光源７１４の光出力パワー（波長λｄ１）をＯＮＵ７３０内の光受信器７３６を介してモニタする（Ｓ３０６）。さらに、波長制御回路７１０は、光受信器７３６からの出力パワー（波長λｄ１）が最大となるように、多層膜フィルタ７３４の回転角を制御し、透過中心波長（波長可変光源の波長）と回転角との関係をメモリ７１６へ格納する（Ｓ３０８）。
【００９２】
波長制御回路７１０は、波長校正済み光源７１４の波長が最後の波長（λｄＮ）かどうかを判定し（Ｓ３１０）、最後の波長ではない場合には、波長校正済み光源７１４の波長を次の波長へ変更して（Ｓ３１２）、ステップＳ３０４へ戻る。
【００９３】
波長校正済み光源７１４の波長が最後の波長（λｄＮ）の場合、ＯＮＵ７３０をネットワークへ接続し、ＯＬＴとＯＮＵとの間の通信波長を設定する（Ｓ３１４）。通信波長を設定が完了した後に、波長設定装置７００をＯＮＵ７３０から取り外して設定を終了する（Ｓ３１６）。
【００９４】
ＯＬＴとＯＮＵとの間の通信波長の設定（Ｓ３１４）では、波長制御回路７１０は、メモリ７１６内の透過中心波長と回転角との関係を参照してＯＮＵの波長可変光フィルタ７３４を掃引しつつ、光受信器７３６からの受信光パワーをモニタすることにより、下り波長（λｄ１〜λｄＮ）から未使用の下り波長を検出する。
【００９５】
さらに、波長制御回路７１０は、未使用の下り波長から受信信号波長（λｄｋ）を選択して波長可変フィルタ７３４を波長λｄｋに固定するとともに、メモリ７１６に書き込まれたＯＬＴ−ＯＮＵ間の波長対応表より、対応した上り信号波長（λｕｋ）に波長可変光送信器７３８の波長を設定して送出する。
【００９６】
ＯＬＴは、波長λｕｋを受信すると、ＡＣＫ信号を波長λｄｋで送出する。ＯＮＵでＡＣＫ信号（波長λｄｋ）を受信して、送受信波長の設定を完了する。ＯＮＵでＡＣＫ信号（波長λｄｋ）が一定時間中に受信できない場合、波長制御回路７１０は、ランダム時間後、波長可変光送信器７３８へ信号波長（λｕｋ）の再送を指示する、あるいは、別の未使用の受信波長と送信波長のペアをランダムに選択して送出する。
【００９７】
次に、図１１を参照して、ＯＮＵを下り波長（λｄ１〜λｄＮ）の内のある波長λｄｋに設定する場合の別の例を説明する。以下の説明において、波長設定装置７００の波長校正済み光源７１４は波長可変光源で構成されているものとする。また、下り光信号には波長情報が含まれているものとする。
【００９８】
図１１を参照すると、本実施例の波長設定方法は、ネットワークに接続されたＯＮＵ７３０に波長設定装置７００を装着することで開始する（Ｓ４００）。
【００９９】
次いで、波長制御回路７１０は、多層膜フィルタ７３４を回転させＯＮＵ７３０内の光受信器７３６を介してモニタすることで、下り波長の内の使用中の波長を検出する（Ｓ４０２）。
【０１００】
次いで、波長制御回路７１０は、波長校正済み光源７１４の波長を未使用の下り波長（λｄｋ）に設定して（Ｓ４０４）出力をＯＮにする（Ｓ４０６）。また、波長制御回路７１０は、多層膜フィルタ７３４を回転させＯＮＵ７３０内の光受信器７３６を介して波長校正済み光源７１４からの光のパワーをモニタする（Ｓ４０８）。さらに波長制御回路７１０は、波長校正済み光源７１４からの光のパワーが最大となるように、多層膜フィルタ７３４の回転角を制御して透過中心波長（波長可変光源の波長）と回転角との関係をメモリ７１６へ格納し（Ｓ４１０）、波長校正済み光源７１４の出力をＯＦＦに設定する（Ｓ４１２）。未使用の下り波長が複数ある場合には、ステップＳ４０４〜４１２を繰り返す。
【０１０１】
次いで、ＯＬＴとＯＮＵとの間の通信波長を設定する（Ｓ４１４）。ＯＬＴとＯＮＵとの間の通信波長の設定（Ｓ４１４）は、図１０を参照して説明したステップＳ３１４と同様であるので、説明を省略する。
【０１０２】
波長可変光送信器と波長可変フィルタの制御部をＯＮＵから完全に切り離すことで、ＯＮＵ側は波長固定のタイプと同等の小型化、経済化を図ることができる。波長設定装置７００内の１×２光カプラ７１８と光受信器７２０はオプションであり、これを用いた場合には、波長可変光送信器のパワーがモニタでき、故障箇所の特定等に役立つ。本光受信器あるいはＯＬＴ側の光受信器を用い、送出する光パワーにフィードバックをかけることにより、ＯＮＵの遠近問題によるパワーばらつきを軽減し、波長安定度に関する要求条件を緩和することもできる。
【図面の簡単な説明】
【０１０３】
【図１】従来のスター型波長多重ネットワークの基本構成図である。
【図２】図１に示すスター型波長多重ネットワークにおいて使用する波長配置の例を示す図である。
【図３】ＯＮＵがＯＬＴ−ＯＮＵ間で送受信する光信号の波長対応表の一例を示す図である。
【図４】従来のＯＮＵの構成図である。
【図５】本発明の一実施例に係るＯＮＵ及び波長設定装置の構成図である。
【図６】本発明の一実施例に係る波長選択方法のフロー図である。
【図７】本発明の一実施例に係るＯＮＵ及び波長設定装置の構成図である。
【図８】本発明の一実施例に係るＯＮＵ及び波長設定装置の構成図である。
【図９】本発明の一実施例に係る波長選択方法のフロー図である。
【図１０】本発明の一実施例に係る波長選択方法のフロー図である。
【図１１】本発明の一実施例に係る波長選択方法のフロー図である。
【符号の説明】
【０１０４】
１０  光ファイバ
３０  パワースプリッタ
１００  ネットワーク
１１０  光終端装置（ＯＬＴ）
１１２  波長合分波器
１２０  ＯＳＵ
１３０  光送受信装置（ＯＮＵ）
１３２  波長合分波器
１３４  波長可変フィルタ（多層膜フィルタ）
１３６  光受信器
１３８  光送信器
１４０  波長制御回路
１４２  メモリ
５００，６００，７００  波長設定装置
５１０，６１０，７１０  波長制御回路
５１２，６１２，７１２  駆動回路
５３０，６３０，７３０  光送受信装置（ＯＮＵ）
５３２，６３２，７３２  波長合分波器
５３４，６３４，７３４  波長可変フィルタ（多層膜フィルタ）
５３６，６３６，７２０，７３６  光受信器
５３８，６３８，７３８  波長可変光送信器
５４０，６４０，  ７１０波長制御回路
５４２、６１６，６４２，７１６  メモリ
６１４，７１４  波長校正済み光源
６４４，７１８  １×２光カプラ、１×光スイッチ
【図１】
2010141611.tif 000003
【図２】
2010141611.tif 000004
【図３】
2010141611.tif 000005
【図４】
2010141611.tif 000006
【図５】
2010141611.tif 000007
【図６】
2010141611.tif 000008
【図７】
2010141611.tif 000009
【図８】
2010141611.tif 000010
【図９】
2010141611.tif 000011
【図１０】
2010141611.tif 000012
【図１１】
2010141611.tif 000013